(57)【特許請求の範囲】
【請求項１】
複数のデジタル回線を有するインタフェースに対し、通信チャネルを共通線信号によるネゴシエーションによって割り当てる際のインタフェースを自動識別する通信インタフェース自動識別方法において、
一方の通信制御装置が、インタフェース群内のそれぞれのインタフェースに個別に割り当てられたインタフェース識別番号をフレームに格納し、
次に、このフレームを常時送信し、
他方の通信制御装置が、インタフェース起動時にフレームを受信し、
次に、フレームからインタフェース識別番号を取り出し、
このインタフェース識別番号を格納し、
この後、インタフェース識別番号の変更を監視し、
この監視で変更があった際にインタフェース識別番号を再度格納して更新し、次に、一方の通信制御装置が、通信チャネルを割り当てるネゴシエーション時に通信チャネル番号と共にインタフェース識別番号を伝送し、他方の通信制御装置が、格納しているインタフェース識別番号に基づいてインタフェースを自動識別することを特徴とする通信インタフェース自動識別方法。
【請求項２】
一方及び他方の通信制御装置間における複数のデジタル回線を有するインタフェースに対し、通信チャネルを共通線信号によるネゴシエーションで割り当てる際のインタフェースを自動識別する通信インタフェース自動識別システムにおいて、
前記一方の通信制御装置が、インタフェース群内のそれぞれのインタフェースに個別に割り当てられたインタフェース識別番号を、フレームに格納して常時送信すると共に、通信チャネルを割り当てるネゴシエーション時に通信チャネル番号と共にインタフェース識別番号を伝送し、
前記他方の通信制御装置が、インタフェース起動時にフレームを受信し、インタフェース識別番号を取り出して格納し、この後、通信チャネルを割り当てるネゴシエーション時に格納しているインタフェース識別番号に基づいてインタフェースを自動識別することを特徴とする通信インタフェース自動識別システム。
【請求項３】
請求項２記載の通信インタフェース自動識別システムにおいて、
前記他方の通信制御装置が、インタフェース識別番号を取り出して格納した後に、
一方の通信制御装置から送られてくるインタフェース識別番号を監視し、変更があった場合に再度格納して更新することを特徴とする通信インタフェース自動識別システム。
【請求項４】
請求項２記載の通信インタフェース自動識別システムにおいて、
前記一方及び他方の通信制御装置として、
制御チャネルのインタフェースを処理する第１インタフェース回路と、
情報チャネルによるデータ伝送におけるインタフェースを処理する複数の第２インタフェース回路と、
インタフェース識別番号を自動的に確認して通信チャネルの設定を制御するＭＰＵと、
外部装置との通信インタフェースを処理する外部インタフェース回路と
インタフェース識別番号を記憶する記憶装置と、
を備えることを特徴とする通信インタフェース自動識別システム。
【請求項５】
請求項４記載の通信インタフェース自動識別システムにおいて、
前記システムがＩＴＵ−Ｔ勧告／Ｇシリーズのデジタル伝送方式におけるＮ次群（Ｎ＝０，１，２，…）インタフェースを処理することを特徴とする通信インタフェース自動識別システム。
【請求項６】
請求項２記載の通信インタフェース自動識別システムにおいて、
前記インタフェース識別番号を、
ＩＴＵ−Ｔ勧告／Ｇシリーズのデジタル伝送方式におけるエラー検出用の巡回冗長検査（ＣＲＣ）−４マルチフレーム構造内のＳａ４ビットからＳａ８ビット等の一般的に使用されない予約ビットにインタフェース識別番号を格納して伝送することを特徴とする通信インタフェース自動識別システム。
【請求項７】
請求項４記載の通信インタフェース自動識別システムにおいて、
前記一方の通信制御装置に、
インタフェース識別番号を変更設定し、かつ、インタフェースの自動識別制御を行うと共に、入力データ及び処理データを画面表示するための入力／表示操作装置を更に備えることを特徴とする通信インタフェース自動識別システム。
【請求項８】
請求項４記載の通信インタフェース自動識別システムにおいて、
前記他方の通信制御装置に、
インタフェースの自動識別制御をすると共に、入力データ及び処理データを画面表示するための入力／表示操作装置を更に備えることを特徴とする通信インタフェース自動識別システム。
【請求項９】
請求項２記載の通信インタフェース自動識別システムにおいて、
前記システムがワイヤレスローカルループシステムに配置される網接続装置とＷＬＬ基地局との間のインタフェースを自動識別するために設けられることを特徴とする通信インタフェース自動識別システム。
【発明の詳細な説明】
【０００１】
【発明の属する技術分野】
本発明は、通信チャネルを共通線信号によるネゴシエーションによって割り当てる際のインタフェースを自動識別する通信インタフェース自動識別方法及びそのシステムに関する。
【０００２】
【従来の技術】
図５は従来のＩＳＤＮ通信制御装置間インタフェースの構成を示すブロック図である。
図５において、二つのＩＳＤＮ通信制御装置１，２が、Ｄ（制御）チャネルを通じて制御される複数のインタフェース３で接続され、この複数のインタフェース３におけるＢ（情報）チャネルを通じてデータ伝送を行っている。複数のインタフェース３は、ＩＳＤＮ通信制御装置１，２間における制御チャネルをインタフェース識別番号１で接続し、更に、ＩＳＤＮ通信制御装置１，２間における通信チャネルを、インタフェース識別番号２…ｎで接続している。
【０００３】
図６は従来のＩＳＤＮ通信制御装置間インタフェース識別動作を説明するための図であり、図７はインタフェース識別番号の認識とインタフェース上のチャネル指定が異なる場合を説明するための図である。
図６において、ＩＳＤＮ通信制御装置間１，２では、Ｄチャネル共有（通話回線と信号回線が非対応の非対応信号方式／Ｄチャネルが一つ以上のインタフェース上のチャネルに対する呼制御を行う）によるインタフェースで接続する。この場合のインタフェースは、一組の送受信信号による通信回線であり、物理的な一本のケーブルと同等の意味で使用されることが多い。
【０００４】
このようにＩＳＤＮ通信制御装置１，２を、Ｄ（制御）チャネルで制御する複数のインタフェース３で接続する場合、通信チャネル（インタフェース識別番号１…ｎ）を、あるメッセージで指定するためには、そのチャネル要求によるチャネル表示を格納したメッセージ（インタフェース識別番号：ａ、チャネル番号ｂ）でインタフェースごとに固定的に割り当てられたインタフェース識別番号１…ｎの認識と共に、そのインタフェース上のチャネル指定が必要である。
【０００５】
ＩＳＤＮ通信制御装置１，２間の接続工事では、インタフェース識別番号１…ｎを確認できないため、接続ケーブルとＩＳＤＮ通信制御装置１，２の多極コネクタの接続位置を間違わずに接続する必要がある。この接続が正しいことを前提にして通信チャネルが設定される。接続ケーブルとＩＳＤＮ通信制御装置１，２のコネクタの接続位置を間違えると、一方のＩＳＤＮ通信制御装置（１，２）から他方のＩＳＤＮ通信制御装置（１，２）に送出したメッセージで表示するインタフェース識別番号１…ｎが異なることになる。このため、他方のＩＳＤＮ通信制御装置（１，２）で認識しているインタフェース識別番号１…ｎが違ってしまう。
【０００６】
例えば、図７に示すように、Ｄチャネル共有によるインタフェースでの接続を、ＩＳＤＮ通信制御装置１からチャネル表示を含むメッセージ（インタフェース識別番号：２、チャネル番号：５）で行う場合、ＩＳＤＮ通信制御装置１，２で認識しているインタフェース識別番号：２、チャネル番号：５が相違してしまい、正常なチャネル接続できず、その通信が出来なくなる。
【０００７】
【発明が解決しようとする課題】
このように、上記従来例では、接続ケーブルと通信制御装置１，２のコネクタの接続位置を間違えると、正常な通信チャネルによる接続ができなくなる。すなわち、インタフェース識別番号の正常な対応ができないため、特に注意深く通信制御装置間のケーブル接続を行う必要がある。また、通信制御装置１，２のコネクタの接続位置を間違えた場合、再度、注意深く通信制御装置間のケーブル接続を行う必要がある。換言すれば、作業時間が多大なるという欠点がある。
【０００８】
本発明は、このような従来の技術における課題を解決するものであり、一方の通信制御装置が、常時送出する信号によって、メッセージ交換を行うことなく、他方の通信制御装置がインタフェース識別番号を自動的に確認して通信チャネルの設定が出来るようになり、通信制御装置間のケーブル接続を行う際の接続作業時間が大幅に削減可能になる通信インタフェース自動識別方法及びそのシステムの提供を目的としている。
【０００９】
【課題を解決するための手段】
上記目的を達成するために、本発明の通信インタフェース自動識別方法は、複数のデジタル回線を有するインタフェースに対し、通信チャネルを共通線信号によるネゴシエーションによって割り当てる際のインタフェースを自動識別するものであり、一方の通信制御装置が、インタフェース群内のそれぞれのインタフェースに個別に割り当てられたインタフェース識別番号をフレームに格納し、次に、このフレームを常時送信し、他方の通信制御装置が、インタフェース起動時にフレームを受信し、次に、フレームからインタフェース識別番号を取り出し、このインタフェース識別番号を格納し、この後、インタフェース識別番号の変更を監視し、この監視で変更があった際にインタフェース識別番号を再度格納して更新し、次に、一方の通信制御装置が、通信チャネルを割り当てるネゴシエーション時に通信チャネル番号と共にインタフェース識別番号を伝送し、他方の通信制御装置が、格納しているインタフェース識別番号に基づいてインタフェースを自動識別している。
【００１０】
本発明の通信インタフェース自動識別システムは、一方及び他方の通信制御装置間における複数のデジタル回線を有するインタフェースに対し、通信チャネルを共通線信号によるネゴシエーションで割り当てる際のインタフェースを自動識別するものであり、一方の通信制御装置が、インタフェース群内のそれぞれのインタフェースに個別に割り当てられたインタフェース識別番号を、フレームに格納して常時送信すると共に、通信チャネルを割り当てるネゴシエーション時に通信チャネル番号と共にインタフェース識別番号を伝送し、他方の通信制御装置が、インタフェース起動時にフレームを受信し、インタフェース識別番号を取り出して格納し、この後、通信チャネルを割り当てるネゴシエーション時に、格納しているインタフェース識別番号に基づいてインタフェースを自動識別する構成であり、他方の通信制御装置が、インタフェース識別番号を取り出して格納した後に、一方の通信制御装置から送られてくるインタフェース識別番号を監視し、変更があった場合に再度格納して更新する構成である。
【００１１】
更に、前記一方及び他方の通信制御装置として、制御チャネルのインタフェースを処理する第１インタフェース回路と、情報チャネルによるデータ伝送におけるインタフェースを処理する複数の第２インタフェース回路と、インタフェース識別番号を自動的に確認して通信チャネルの設定を制御するＭＰＵと、外部装置との通信インタフェースを処理する外部インタフェース回路とインタフェース識別番号を記憶する記憶装置とを備える構成である。
【００１２】
また、前記通信インタフェース自動識別システムが、ＩＴＵ−Ｔ勧告／Ｇシリーズのデジタル伝送方式における一次群情報チャネルインタフェースを処理し、更に、前記一次群情報チャネルインタフェースにおける伝送速度が２０４８ｋｂｉｔ／ｓであると共に、また、前記インタフェース識別番号を、ＩＴＵ−Ｔ勧告／Ｇシリーズのデジタル伝送方式におけるマルチフレーム構造内のＳａ４ビットからＳａ８ビットにインタフェース識別番号を格納して伝送する構成である。
【００１３】
更に、前記一方の通信制御装置に、インタフェース識別番号を変更設定し、かつ、インタフェースの自動識別制御の起動を行う手動操作で指示すると共に、また、入力データ及び処理データを画面表示するための入力／表示操作装置を更に備えると共に、また、前記他方の通信制御装置に、インタフェースの自動識別制御の起動を手動操作で指示すると共に、入力データ及び処理データを画面表示するための入力／表示操作装置を更に備え、かつ、前記他方の通信制御装置でのインタフェースの自動識別制御の起動を、一方の通信制御装置からの遠隔起動制御で実行する構成である。
【００１４】
このような本発明の通信インタフェース自動識別方法及びそのシステムは、一方及び他方の通信制御装置が、複数のデジタル回線を有するインタフェースに、通信チャネルを、共通線信号方式による制御でのネゴシエーションで割り当てて設定する際に、そのインタフェースを自動識別している。
【００１５】
この自動識別では、インタフェース起動時に一方の通信制御装置が、インタフェース群内のそれぞれのインタフェースに個別に割り当てられたインタフェース識別番号を、フレームに格納して常時送信する。このフレームを他方の通信制御装置が受信し、インタフェース識別番号を取り出して格納する。これ以降のインタフェース識別番号の監視で変更があった場合に更新する。この後、通信チャネルを割り当てるネゴシエーション時に、格納しているインタフェース識別番号に基づいてインタフェースを自動識別する。
【００１６】
この結果、メッセージ交換を行うことなく、他方の通信制御装置がインタフェース識別番号を自動的に確認して通信チャネルの設定が出来るようになる。この場合、接続ケーブルを細心の注意を払って接続する必要がなくなり、また、誤って接続しても、正常にインタフェース識別番号を自動的に確認して通信チャネルの設定が出来るようになる。この結果、通信制御装置の接続作業時間が削減される。
【００１７】
【発明の実施の形態】
次に、本発明の通信インタフェース自動識別方法及びそのシステムの実施の形態を添付図面を参照して詳細に説明する。
図１は本発明の通信インタフェース自動識別方法及びそのシステムの構成を示すブロック図である。
この例は、ＩＴＵ−Ｔ（ＣＣＩＴＴ）勧告におけるＧシリーズ（デジタル伝送方式／国際標準インタフェース）を適用して説明する。すなわち、一次群インタフェースにおけるインタフェース速度が２０４８ｋｂ／ｓであり、そのインタフェース構造の一次群Ｂ（情報）インタフェース（多重アクセス）が３０Ｂ＋Ｄ（２０４８ｋｂ／ｓ）である。この場合のＤチャネルの伝送速度は６４ｋｂ／ｓであり、Ｂチャネルの複数のインタフェースを、まとめてＤチャネルを配置する。このとき他のインタフェースは、３０Ｂの使用が可能である。
【００１８】
図１において、この例は、ＩＳＤＮ通信制御装置１１，１２との間が接続ケーブル１３で接続されている。ＩＳＤＮ通信制御装置１１，１２は、次に説明する（１）（２）の制御を実行する（以下、適宜、「本発明の実施形態にかかる制御」と記載する）。
【００１９】
（１）ＩＳＤＮ通信制御装置１１が、インタフェース群内のそれぞれのインタフェースに個別に割り当てられたインタフェース識別番号を、フレームに格納して常時送信する。この後、通信チャネルをネゴシエーションで割り当てる際に、インタフェース識別番号を通信チャネル番号と共に伝送する。
（２）ＩＳＤＮ通信制御装置１２が、インタフェース起動時にフレームを受信し、インタフェース識別番号を取り出して格納する。そして、インタフェース識別番号の監視で変更があった場合に更新する。この後、通信チャネルを割り当てるネゴシエーション時に格納しているインタフェース識別番号に基づいてインタフェースを自動識別する。
【００２０】
図１の構成の適用例について説明する。
このＩＳＤＮ通信制御装置１１，１２は、例えば、ワイヤレスローカルループ（ＷＬＬ:Wireless Local Loop) ネットワークに適用される。このワイヤレスローカルループでは、加入者無線局とＷＬＬ無線基地局との間が無線回線接続（無線区間）され、更に、ＷＬＬ基地局が、マイクロ波帯などで無線回線接続した網接続装置を通じて地方交換機（ＬＳ）に収容されている。
【００２１】
この網接続装置とＷＬＬ基地局とにＩＳＤＮ通信制御装置１１，１２が設けられる。この場合の接続ケーブル１３は、実際の例として二つの形態がある。まず、ＩＳＤＮ通信制御装置１１，１２が極めて接近している際にメタリックケーブルで直接接続する場合である。また、ＩＳＤＮ通信制御装置１１，１２の間に距離があり、光ケーブルマイクロ波帯などで接続する場合である。この場合のＩＳＤＮ通信制御装置１１，１２には、光ケーブル又はマイクロ波帯で接続するための通信接続装置を設けることになる。
【００２２】
図１において、ＩＳＤＮ通信制御装置１１は、ＩＳＤＮ通信制御装置１２との間の伝送速度２０４８ｋｂ／ｓでのＤチャネルのインタフェースを処理する２０４８ｋｂ／ｓＩ／Ｆ回路２１と、Ｄ（制御）チャネルを通じて制御されるＢ（情報）チャネルによるデータ伝送のインタフェースを処理する２０４８ｋｂ／ｓＩ／Ｆ回路２２と、これと同様のインタフェースを処理する２０４８ｋｂ／ｓＩ／Ｆ回路２Ｎとを有している。
【００２３】
更に、ＩＳＤＮ通信制御装置１１は、各部との間を接続するデータ／制御バスライン２４と、「本発明の実施形態にかかる制御」を実行するＭＰＵ２５と、図示しない外部装置の間での通信インタフェースを処理する外部Ｉ／Ｆ回路２６と、２０４８ｋｂ／ｓＩ／Ｆ回路２１…２Ｎに、それぞれに対応して設定されるインタフェース識別番号（以降で説明するインタフェース識別番号０〜３１）を記憶する記憶装置２７と、２０４８ｋｂ／ｓＩ／Ｆ回路２１…２Ｎに、それぞれに対応して設定されるインタフェース識別番号を入力するための入力／表示装置２８とを有している。
【００２４】
ＩＳＤＮ通信制御装置１２もＩＳＤＮ通信制御装置１１と同様の構成であり、２０４８ｋｂ／ｓＩ／Ｆ回路３１，３２…３Ｎ、データ／制御バスライン３４，ＭＰＵ３５、外部Ｉ／Ｆ回路３６、記憶装置３７及び入力／表示装置３８を有している。
【００２５】
次に、実施形態の動作について説明する。
図２はフレームを示す図であり、図３はデジタル伝送方式のマルチフレーム構成を示す図である。また、図４は動作を説明するためのブロック図である。
図２及び図３において、前記したＩＴＵ−Ｔ（ＣＣＩＴＴ）勧告におけるＧシリーズのデジタル伝送方式の規定では、図２に示すように１２５μｓごとのフレーム構造を有し、このフレーム中のタイムスロット（ＴＳ）０を同期用、タイムスロット（ＴＳ）１６を共通線信号用、その他のタイムスロット（ＴＳ）１〜１５，１７〜３１を情報チャネルとしている。また、図３に示すように１６個のフレームを一つのマルチフレームとして取り扱い、エラー検出用の巡回冗長検査（ＣＲＣ）−４マルチフレーム構造を有している。
【００２６】
ＣＲＣ−４マルチフレーム構造内の「Ｓａ４〜Ｓａ８」のビットの使用は、その規定があるものの、一般的には使用されていない。そこで、本発明の実施形態では、これらの「Ｓａ４〜Ｓａ８」のビットをインタフェース識別番号の伝達（伝送）用に使用する。この場合、５ビット情報となるため、最大３２のインタフェースを一つのインタフェース群（グループ）として識別可能になる。したがって、図１における２０４８ｋｂ／ｓＩ／Ｆ回路２１…２Ｎ，３１…３Ｎは、３２個の２０４８ｋｂ／ｓＩ／Ｆ回路が配置可能である。
【００２７】
図２において、ＩＳＤＮ通信制御装置１１，１２は、その設置が行われた後に図示しない多極コネクタ間を接続ケーブル１３で接続する。そして、インタフェース起動時に、このＩＳＤＮ通信制御装置１１，１２に設けた入力／表示装置２８，３８からの起動指示信号をＭＰＵ２５，３５が取り込んで「本発明の実施形態における制御」の動作を開始する。例えば、前記した説明のようにワイヤレスローカルループ（ＷＬＬ）ネットワークにおける網接続装置とＷＬＬ基地局とをＩＳＤＮ通信制御装置１１，１２として接続した場合である。
【００２８】
次に、ＩＳＤＮ通信制御装置１１，１２は、入力／表示装置２８から２０４８ｋｂ／ｓＩ／Ｆ回路２１…２Ｎに対し、「Ｓａ４〜Ｓａ８」にビットに固定値であるインタフェース識別番号０〜３１を入力する。このインタフェース識別番号０〜３１をＭＰＵ２５が取り込み、記憶装置２７に記憶して２０４８ｋｂ／ｓＩ／Ｆ回路２１…２Ｎごとに設定する。例えば、図４に示すように２０４８ｋｂ／ｓＩ／Ｆ回路２１，２２…２Ｎに、それぞれインタフェース識別番号「１」「２」「３」を設定する。
【００２９】
次に、ＩＳＤＮ通信制御装置１１のＭＰＵ２５は、制御プログラムに基づいて、このインタフェース識別番号を格納したフレームを、２０４８ｋｂ／ｓＩ／Ｆ回路２１を通じて常時送信する。このフレームをＩＳＤＮ通信制御装置１２の２０４８ｋｂ／ｓＩ／Ｆ回路３１の動作を通じてＭＰＵ３５が取り込み、２０４８ｋｂ／ｓＩ／Ｆ回路３１，３２…３Ｎのインタフェース識別番号「１」〜「３」を取り出して記憶装置３７に格納する。
【００３０】
この場合、図４に示すようにＩＳＤＮ通信制御装置１１の２０４８ｋｂ／ｓＩ／Ｆ回路２２，２ＮとＩＳＤＮ通信制御装置１２の２０４８ｋｂ／ｓＩ／Ｆ回路３２，３Ｎとの接続がクロスしている。すなわち、誤って接続されている。この後、ＩＳＤＮ通信制御装置１２のＭＰＵ３５が、ＩＳＤＮ通信制御装置１１から常時送信されるフレームに対してインタフェース識別番号の変更が無いかを記憶装置３７に格納しているインタフェース識別番号を読み出して監視する。この監視でインタフェース識別番号が変更されている場合は、新たに記憶装置３７に格納して更新する。
【００３１】
この後、ＩＳＤＮ通信制御装置１１のＭＰＵ２５が外部Ｉ／Ｆ回路２６を通じて外部装置からの送信実行の指示を受信すると、２０４８ｋｂ／ｓＩ／Ｆ回路２１を通じて、例えば、図４に示すように「インタフェース識別番号２、通信チャネル番号５」を指定したチャネル表示を含むメッセージを送信し、通信チャネルの割り当てのネゴシエーションを共通線信号方式のプロトコルによって行う。
【００３２】
ＩＳＤＮ通信制御装置１２のＭＰＵ３５は、２０４８ｋｂ／ｓＩ／Ｆ回路３１を通じて、図４に示すように「インタフェース識別番号２、通信チャネル番号５」を指定したチャネル表示を含むメッセージを受信すると、記憶装置３７に格納しているインタフェース識別番号を読み出し、インタフェース識別番号「２」に対応する２０４８ｋｂ／ｓＩ／Ｆ回路３Ｎ上の通信チャネル番号「５」を設定する。この後は、ＩＳＤＮ通信制御装置１１，１２間の２０４８ｋｂ／ｓＩ／Ｆ回路２２，３Ｎに設定した通信チャネル番号「５」を通じて図示しない外部装置間でのデータ伝送が実行される。なお、同様にＩＳＤＮ通信制御装置１１，１２間の２０４８ｋｂ／ｓＩ／Ｆ回路２Ｎ，３２でも、通信チャネルを通じて図示しない外部装置によるデータ伝送が実行可能である。
【００３３】
このように、この実施形態では、ＩＳＤＮ通信制御装置１１が常時送出するフレームによって、ＩＳＤＮ通信制御装置１２がインタフェース識別番号を自動的に確認して通信チャネルの設定が出来るようになる。したがって、接続ケーブル１３を細心の注意を払って接続する必要がなくなる。また、誤って接続しても、正常にインタフェース識別番号を自動的に確認して通信チャネルの設定が出来るようになる。換言すれば、短時間で接続処理を行うには、接続ケーブル１３を適当に接続しても良いことになる。この結果、接続作業時間が削減される。
【００３４】
また、この実施形態では、ＩＴＵ−Ｔ（ＣＣＩＴＴ）勧告のＧシリーズでのデジタル伝送方式における主に欧州で使用されている同期式伝送速度２０４８ｋｂ／ｓの一次群インタフェース（３０Ｂ＋Ｄ／多重アクセス）をもって説明したが、国内や北米等で多用される同期式の伝送速度１５４４ｋｂ／ｓの一次群インタフェース（２３Ｂ＋Ｄ／多重アクセス）にも適用できる。
【００３５】
また、通信制御装置１１の入力／表示装置２８で、ここから入力して設定するインタフェース識別番号を画面表示し、また、通信制御装置１２の入力／表示装置３８で、インタフェース識別番号を自動的に確認して通信チャネルの設定状態を画面表示し、更に、印字出力すると、その接続ケーブル１３の接続状態が、例えば、ネットワーク管理者で容易かつ迅速に判明し、また、以降での参考資料として利用可能になる。
【００３６】
【発明の効果】
以上の説明から明らかなように、本発明の通信インタフェース自動識別方法及びそのシステムによれば、一方の通信制御装置からのフレームを受信した他方の通信制御装置が、インタフェース識別番号を取り出して格納し、かつ、監視して変更があった場合に更新する。この後、通信チャネルを割り当てるネゴシエーション時に、格納しているインタフェース識別番号に基づいてインタフェースを自動識別する。
【００３７】
この結果、メッセージ交換を行うことなく、他方の通信制御装置がインタフェース識別番号を自動的に確認して通信チャネルの設定が出来るようになる。したがって、接続ケーブルを細心の注意を払って接続する必要がなくなり、また、誤って接続しても、正常にインタフェース識別番号を自動的に確認して通信チャネルの設定が行われ、通信制御装置間の接続作業時間を削減できるようになる。
【図面の簡単な説明】
【図１】本発明の通信インタフェース自動識別方法及びそのシステムの構成を示すブロック図である。
【図２】実施形態にあってフレームを示す図である。
【図３】実施形態のデジタル伝送方式におけるマルチフレーム構成を示す図である。
【図４】実施形態の動作を説明するためのブロック図である。
【図５】従来のＩＳＤＮ通信制御装置間インタフェースの構成を示すブロック図である。
【図６】従来のＩＳＤＮ通信制御装置間インタフェース識別動作を説明するための図である。
【図７】従来のインタフェース識別番号の認識とインタフェース上のチャネル指定が異なる場合を説明するための図である。
【符号の説明】
１１，１２    ＩＳＤＮ通信制御装置
１３    接続ケーブル
２１…２Ｎ，３１…３Ｎ    ２０４８ｋｂ／ｓＩ／Ｆ回路
２４，３４    データ／制御バスライン
２５，３５    ＭＰＵ
２６，３６    外部Ｉ／Ｆ回路
２７，３７    記憶装置
２８，３８    入力／表示装置
【図１】
0003952241.tif 000002
【図２】
0003952241.tif 000003
【図３】
0003952241.tif 000004
【図４】
0003952241.tif 000005
【図５】
0003952241.tif 000006
【図６】
0003952241.tif 000007
【図７】
0003952241.tif 000008